(57)【特許請求の範囲】
【請求項１】
無段変速機のプーリに接するＶ面を備えるボデーと、該ボデーの上方に一対の凹部を介して連設されたヘッドと、該ヘッドの一方面に突出するノーズと、該ヘッドの他方面に形成されて前記ノーズに係合自在のホールとを備える複数のエレメントがその厚み方向に環状に積層されてなる無段変速機用ベルトのエレメントの良否判定方法であって、
複数のエレメントを前記ノーズと前記ホールとを係合させて厚み方向に直線的に積層し、各エレメントの前記凹部によって積層方向に延びる溝状部を形成する工程と、
各エレメントの前記ノーズと前記ホールとの中心が上下方向に不一致であるときの積層状態における各エレメントの積層方向への傾きに応じて狭まった前記溝状部の幅寸法に基づいて設定された所定の幅寸法を有するゲージに、前記溝状部を挿通させ、該ゲージが通過可能な溝状部を有する積層状態のエレメントを良品と判定する工程とを備えることを特徴とする無段変速機用ベルトのエレメントの良否判定方法。
【発明の詳細な説明】
【０００１】
【発明の属する技術分野】
本発明は、無段変速機用ベルトのエレメントの良否判定方法に関し、詳しくは、積層されたエレメントの傾きの原因となるノーズとホールとの中心ズレを検出してエレメントの良否を判定する方法に関する。
【０００２】
【従来の技術】
自動車の無段変速機における動力伝達機構には、金属板を打ち抜くことにより成形された複数のエレメントを厚さ方向に積層して環状に形成したものを、無端状リングにより一体に結束した無段変速機用ベルトが採用されている。
【０００３】
この種のエレメントはボデーと、該ボデーの上部に凹部を介して連設されたヘッドとからなり、ボデーには、前記無段変速機のプーリに接するＶ面となる端縁が形成されている。また、該エレメントのヘッドには一方面に突出するノーズと、他方面に形成されたホールとが形成されている。各エレメントが積層されたときには、隣接する一方のエレメントのノーズが他方のエレメントのホールに係合し、積層状態が確実に維持される。
【０００４】
該エレメントは、金属板から打ち抜かれて前記ボデー、ヘッド、ノーズ及びホールが形成される。そして、打ち抜き成形されたエレメントは研磨工程や熱処理工程を経て、所定枚数が厚さ方向に環状に積層される。その後、前記凹部に前記無端状リングが挿着されて一体に結束されることにより、無段変速機用ベルトが形成される。
【０００５】
ところで、この種のエレメントにおいては、金属板から打ち抜き成形される際にプレス精度が低下すると、ノーズとホールとに中心ズレが生じることがある。そして、ノーズとホールと中心ズレが生じているエレメントを積層させると、ノーズがホールに係合したときに、積層状態のエレメントにノーズとホールとの中心ズレ寸法に応じた傾きが生じる。このときの傾きは僅かであれば支障はないが、この傾き角度が比較的大きい場合には、無段変速機用ベルトとして無段変速機において回動されたときにノーズの基端部にホール周縁部との圧接応力が集中してノーズが損傷し、積層状態を維持することができなくなるおそれがある。
【０００６】
そこで、各エレメントを積層するに先立ってノーズとホールとの中心ズレを検査し、ノーズとホールとの中心ズレが生じているエレメントを不良品として排除する必要がある。しかし、従来から一般に行なわれているエレメントの検査は、作業者の目視によるものであり、積層されるエレメントの全数を検査するには手数がかかる上、見落としや個人差による精度のばらつきが生じる不都合がある。
【０００７】
【発明が解決しようとする課題】
かかる不都合を解消して、本発明は、無段変速機用ベルトを構成するエレメントに対してノーズとホールとの中心ズレに係る良否を効率良く且つ確実に判定することができる方法を提供することを目的とする。
【０００８】
【課題を解決するための手段】
かかる目的を達成するために、本発明は、無段変速機のプーリに接するＶ面を備えるボデーと、該ボデーの上方に一対の凹部を介して連設されたヘッドと、該ヘッドの一方面に突出するノーズと、該ヘッドの他方面に形成されて前記ノーズに係合自在のホールとを備える複数のエレメントがその厚み方向に環状に積層されてなる無段変速機用ベルトのエレメントの良否判定方法であって、複数のエレメントを前記ノーズと前記ホールとを係合させて厚み方向に直線的に積層し、各エレメントの前記凹部によって積層方向に延びる溝状部を形成する工程と、各エレメントの前記ノーズと前記ホールとの中心が上下方向に不一致であるときの積層状態における各エレメントの積層方向への傾きに応じて狭まった前記溝状部の幅寸法に基づいて設定された所定の幅寸法を有するゲージに、前記溝状部を挿通させ、該ゲージを通過可能な溝状部を有する積層状態のエレメントを良品と判定する工程とを備えることを特徴とする
本発明によるときには、先ず、複数のエレメントを厚み方向に直線的に積層する工程が行なわれる。このときには、互いに隣接する両エレメントのノーズとホールとを係合させて両エレメントを密着させる。これによって、各エレメントの前記凹部が積層方向に連続し、積層されたエレメントの両側に夫々一条ずつ溝状部が形成される。
【０００９】
次いで、積層されたエレメントによって形成された前記溝状部に前記ゲージを挿通させる。積層されたエレメントは、各エレメントのノーズとホールとの中心が上下方向に不一致である場合に積層方向に傾きが生じる。このときの各エレメントの傾きが大きいほど、前記溝状部の幅寸法が狭くなる。これに対して、前記ゲージは、溝状部の幅寸法に基づいて設定された所定の幅寸法を有している。そして、溝状部の幅寸法がゲージの所定の幅寸法より小であるとき、溝状部はゲージを通過することができず、これによって、積層されたエレメントに傾きが生じていることが確認でき、更に、各エレメントのノーズとホールとの中心が上下方向に不一致であることが判明する。
【００１０】
従って、ゲージを通過することができないエレメントを不良品として検出し排除することができ、積層時に傾きの無い或いは傾きが少ないエレメントを良品として判定することができる。
【００１１】
このように、本発明によれば、積層された各エレメントの溝状部をゲージに挿通させるといった簡単な作業で、ノーズとホールとの中心位置ズレに係る各エレメントの良否を効率良く且つ確実に判定することができる。
【００１２】
【発明の実施の形態】
本発明の一実施形態を図面に基づいて説明する。図１（ａ）及び（ｂ）は積層状態の複数のエレメントを示す説明的側面図、図２は本実施形態のエレメントの良否判定方法に用いるゲージを示す説明的断面図、図３は無段変速機用ベルトの一部を示す説明的斜視図である。
【００１３】
本実施形態によって良否判定が行なわれるエレメント１は、図３に一部を示した無段変速機用ベルト２を構成するものである。該無段変速機用ベルト２は、環状に積層された複数のエレメント１が一対の金属リング３によって結束されることにより形成されている。該エレメント１は、金属製の板材を打ち抜いて形成されており、ボデー４と、該ボデー４に一対の凹部５を介して連設されたヘッド６とによって構成されている。前記ボデー４には、図示しない自動車の動力伝達機構とされる無段変速機のプーリに接するＶ面７が形成されている。また、各エレメント１のヘッド６には、その積層方向に突出するノーズ８（ディンプルとも言われる）と、該ノーズ８の反対側に形成されて該ノーズ８に対応するホール９（図１に示す）とが形成されている。ノーズ８の外径はホール９の内径より僅かに小さく形成されて係合時のクリアランスが確保されている。
【００１４】
本実施形態におけるエレメント１の良否判定方法によれば、先ず、図１（ａ）に示すように、複数のエレメント１を前記ノーズ８と前記ホール９とを係合させて厚み方向に直線的に積層する。このとき、積層された各エレメント１の凹部５によって積層方向に延びる溝状部１０が形成される。
【００１５】
そして、各エレメント１にノーズ８とホール９との中心ズレがほとんど無い場合には、図１（ａ）に示すように、積層方向に対してエレメント１が直立する姿勢に積層される。また、各エレメント１にノーズ８とホール９との上下方向への中心ズレが比較的大きく発生している場合には、図１（ｂ）に示すように、積層方向に対してエレメント１が傾いた姿勢に積層される。
【００１６】
次いで、図２示の凹部検査装置１１に、整列状態のままエレメント１の積層方向に挿通する。該凹部検査装置１１は、エレメント１のボデー４が挿通される挿通孔１２と、積層されたエレメント１の溝状部１０に挿通される一対のゲージ１３とを備えている。両ゲージ１３は、その幅寸法ａが、図１（ｂ）に示す各エレメント１の積層方向への傾きに応じて狭まった前記溝状部１０の幅寸法ｂに基づいて設定されている。即ち、各エレメント１のノーズ８とホール９との中心ズレｃが比較的大きいとき、前記溝状部１０の幅寸法ｂは、図１（ａ）に示すノーズ８とホール９との中心ズレがほとんど無い場合の溝状部１０の幅寸法ｄに比べて小となる。そして、図２示の各ゲージ１３の幅寸法ａは、良品として許容されるノーズ８とホール９との中心ズレｃである場合の、図１（ｂ）に示す溝状部１０の幅寸法ｂに対応して設定されている。こうすることによって、溝状部１０の幅寸法ｂが各ゲージ１３の幅寸法ａより小であるときには、溝状部１０がゲージ１３を通過することができない。
【００１７】
従って、積層状態のエレメント１にノーズ８とホール９との中心ズレがほとんど無いもののみが、溝状部１０を介してゲージ１３を通過し、良品として判定される。
【図面の簡単な説明】
【図１】積層状態の複数のエレメントを示す説明的側面図。
【図２】本実施形態のエレメントの良否判定方法に用いるゲージを示す説明的断面図。
【図３】無段変速機用ベルトの一部を示す説明的斜視図。
【符号の説明】
１…エレメント、２…無段変速機用ベルト、４…ボデー、５…凹部、６…ヘッド、７…Ｖ面、８…ノーズ、９…ホール、１０…溝状部、１３…ゲージ。
【図１】
0003660240.tif 000002
【図２】
0003660240.tif 000003
【図３】
0003660240.tif 000004